(57)【要約】【課題】譜めくりミスを生じることがなく、簡単な操作で、演奏者が参照したい楽譜を適切な位置に位置させることができる譜面台装置を提供する。【解決手段】連続した譜面Ｆを演奏の進行に応じて送るための譜面台装置１であって、譜面Ｆが外周面に沿って巻かれた状態にセットされるとともに、譜面Ｆを送り出すための回転自在の譜面送出しロッド１２と、譜面送出しロッド１２と間隔を隔てて配置されるとともに、譜面Ｆがセットされるとともにその譜面Ｆを巻き取るための回転自在の譜面巻取りロッド１３と、演奏者によって操作される譜面送り操作部１５と、これが操作されたときに、譜面巻取りロッド１３を回転駆動することにより、譜面送出しロッド１２から送り出される譜面Ｆを譜面巻取りロッド１３で巻き取りながら、譜面Ｆを所定長さ分、譜面巻取りロッド１３側に送るロッド駆動機構１４と、を備えている。【選択図】図１
2010026211.tif 000002
【特許請求の範囲】
【請求項１】
連続した譜面がセットされるとともに、当該セットされた譜面を演奏の進行に応じて送るための譜面台装置であって、
軸線を中心として回転自在に構成され、前記譜面が外周面に沿って巻かれた状態にセットされるとともに、当該セットされた譜面を送り出すための譜面送出しロッドと、
この譜面送出しロッドと間隔を隔てて配置されるとともに、軸線を中心として回転自在に構成され、前記譜面がセットされるとともに当該セットされた譜面を巻き取るための譜面巻取りロッドと、
演奏者によって操作される操作部と、
この操作部が操作されたときに、前記譜面巻取りロッドを回転駆動することにより、前記譜面送出しロッドから送り出される前記譜面を当該譜面巻取りロッドで巻き取りながら、当該譜面を所定長さ分、当該譜面巻取りロッド側に送る駆動手段と、
を備えていることを特徴とする譜面台装置。
【請求項２】
前記譜面送出しロッドおよび前記譜面巻取りロッドの一方を支持するとともに、他方に対して近づく方向および離れる方向に移動自在のロッド支持部と、
このロッド支持部を、移動した位置にロックするロック手段と、
をさらに備えていることを特徴とする請求項１に記載の譜面台装置。
【請求項３】
前記駆動手段は、
前記譜面送出しロッドおよび前記譜面巻取りロッドにそれぞれ設けられたプーリと、
これらのプーリに巻き掛けられたベルトと、
前記譜面送出しロッドおよび前記譜面巻取りロッドの一方に設けられた従動ギヤと、
前記操作部に連結されるとともに前記従動ギヤに噛み合い、当該操作部の操作に伴って回転する駆動ギヤと、
を有していることを特徴とする請求項１または２に記載の譜面台装置。
【請求項４】
前記駆動手段は、
モータと、
このモータと前記譜面巻取りロッドの間に設けられ、当該モータの動力を当該譜面巻取りロッドに伝達することによって、当該譜面巻取りロッドを回転させる動力伝達機構と、
前記操作部が操作されたときに、前記モータを所定の角度、回転させるように制御する制御手段と、
を有していることを特徴とする請求項１または２に記載の譜面台装置。
【発明の詳細な説明】
【技術分野】
【０００１】
本発明は、楽譜を参照しながら演奏する際に使用される譜面台装置に関する。
【背景技術】
【０００２】
一般に、紙面に記載された楽譜（以下、楽譜が記載された紙自体を適宜、「譜面」という）を参照しながら演奏を行う場合、演奏者は、演奏に先立ち、その譜面を譜面台にセットする。従来、このような譜面台として、例えば特許文献１に開示されたものが知られている。この譜面台は、電子ピアノなどの鍵盤楽器に設けられたものであり、電子ピアノの天板上に、支持金具を介して回動自在に設けられた譜面台本体と、その前方に設けられた譜面受けとを備えている。この譜面台を使用する場合、譜面台本体を起こし、支持金具で起立した状態に保持する。そして、譜面を、譜面受けに載置するとともに、譜面台本体に立て掛けた状態で、譜面台にセットする。なお、鍵盤楽器以外の楽器、例えばバイオリンなどの弦楽器や、トランペットなどの管楽器などを演奏する場合、従来一般に、上記のような譜面台本体および譜面受けが一体に構成された、スタンド付きの譜面台が使用される。
【０００３】
また、譜面台にセットされる譜面には、製本タイプのものと、一枚物や見開き状のピースタイプのものがある。楽曲が長い譜面は、通常、製本タイプが採用されており、その楽曲の楽譜が複数頁にわたって記載されている。このような製本タイプの譜面を譜面台にセットし、楽譜を参照しながら演奏する場合、演奏者は、演奏の進行に応じて適宜、譜面をめくるという作業（以下「譜めくり」という）を行う必要がある。しかし、演奏中の譜めくりは煩雑であり、特に、速いパッセージの演奏中に譜めくりを行うのは困難である。また、演奏中の譜めくりでは、譜面をめくり損ねたり、一度に複数頁をめくったりするなどの譜めくりミスを生じることもある。以上のような譜めくり上の問題は、鍵盤楽器以外の楽器用の前述したスタンド付き譜面台を使用する場合にも、発生するおそれがある。
【０００４】
本発明は、以上のような課題を解決するためになされたものであり、譜めくりミスを生じることがなく、簡単な操作で、演奏者が参照したい楽譜を適切な位置に位置させることができる譜面台装置を提供することを目的とする。
【０００５】
【特許文献１】特開平１１−１０９９４７号公報
【発明の開示】
【課題を解決するための手段】
【０００６】
上記の目的を達成するために、請求項１に係る発明は、連続した譜面がセットされるとともに、セットされた譜面を演奏の進行に応じて送るための譜面台装置であって、軸線を中心として回転自在に構成され、譜面が外周面に沿って巻かれた状態にセットされるとともに、セットされた譜面を送り出すための譜面送出しロッドと、この譜面送出しロッドと間隔を隔てて配置されるとともに、軸線を中心として回転自在に構成され、譜面がセットされるとともにセットされた譜面を巻き取るための譜面巻取りロッドと、演奏者によって操作される操作部と、この操作部が操作されたときに、譜面巻取りロッドを回転駆動することにより、譜面送出しロッドから送り出される譜面を譜面巻取りロッドで巻き取りながら、譜面を所定長さ分、譜面巻取りロッド側に送る駆動手段と、を備えていることを特徴とする。
【０００７】
この構成によれば、互いに間隔を隔てて配置されるとともに、各々の軸線を中心として回転自在に構成された譜面送出しロッドおよび譜面巻取りロッドに、連続した譜面がセットされる。この場合、譜面送出しロッドには、譜面が外周面に沿って巻かれた状態にセットされる。譜面がセットされた状態において、演奏者は、譜面の両ロッド間に位置する楽譜を参照しながら、演奏を行うことができる。
【０００８】
また、演奏が進み、演奏者が、両ロッド間の楽譜の後に続く楽譜、すなわち、譜面送出しロッドに巻かれた状態の譜面の部分に記載されている未演奏の楽譜（以下「未演奏楽譜」という）を参照したい場合には、演奏者自身が操作部を操作する。この操作部が操作されたときには、譜面巻取りロッドが駆動手段によって回転駆動される。それにより、譜面送出しロッドから送り出される譜面は、譜面巻取りロッドで巻き取られながら、所定長さ分、譜面巻取りロッド側に送られる。その結果、未演奏楽譜は、譜面送出しロッドと譜面巻取りロッドの間、すなわち演奏者にとって見やすい位置に移動する。なお、譜面巻取りロッドに加えて、譜面送出しロッドも回転駆動する場合には、譜面巻取りロッドの巻き取り動作に伴う引張り力が、譜面に過大に作用するのを抑制でき、それにより、譜面の破損などを防止することができる。
【０００９】
以上のように、本発明によれば、演奏者が、演奏中に未演奏楽譜を参照したい場合には、演奏の進行に応じて適宜、操作部を操作するだけで、未演奏楽譜を演奏者の見やすい適切な位置に容易に位置させることができる。したがって、長い楽曲を演奏する場合でも、その譜面を演奏の進行に応じて送り、楽譜を参照しながら、演奏を円滑に行うことができる。
【００１０】
請求項２に係る発明は、請求項１に記載の譜面台装置において、譜面送出しロッドおよび譜面巻取りロッドの一方を支持するとともに、他方に対して近づく方向および離れる方向に移動自在のロッド支持部と、このロッド支持部を、移動した位置にロックするロック手段と、をさらに備えていることを特徴とする。
【００１１】
この構成によれば、譜面送出しロッドおよび譜面巻取りロッドの一方を支持するロッド支持部が、他方に近づく方向および離れる方向に移動自在であり、移動した位置に、ロック手段によってロックされる。つまり、譜面送出しロッドと譜面巻取りロッドの間の距離を、容易に調整することができる。これにより、例えば、楽譜のサイズや演奏者の好みなどに応じて、両ロッド間に位置する楽譜を、演奏者が参照しやすい状態に設定することができる。
【００１２】
請求項３に係る発明は、請求項１または２に記載の譜面台装置において、駆動手段は、譜面送出しロッドおよび譜面巻取りロッドにそれぞれ設けられたプーリと、これらのプーリに巻き掛けられたベルトと、譜面送出しロッドおよび譜面巻取りロッドの一方に設けられた従動ギヤと、操作部に連結されるとともに従動ギヤに噛み合い、操作部の操作に伴って回転する駆動ギヤと、を有していることを特徴とする。
【００１３】
この構成によれば、譜面送出しロッドおよび譜面巻取りロッドにそれぞれ、プーリが設けられており、これらのプーリにベルトが巻き掛けられている。また、両ロッドの一方に設けられた従動ギヤには、操作部に連結された駆動ギヤが噛み合っている。このため、操作部の操作に伴い、駆動ギヤが回転すると、これに噛み合う従動ギヤを介して、譜面送出しロッドおよび譜面巻取りロッドの一方が回転する。また、両ロッドが、それぞれに設けられたプーリを介してベルトで連結されているので、一方のロッドの回転に同期して、他方のロッドも回転する。したがって、操作部の操作により、譜面送出しロッドおよび譜面巻取りロッドを互いに同期して回転させながら、譜面送出しロッドから送り出される譜面を、譜面巻取りロッド側に円滑に送ることができる。また、駆動ギヤは、操作部に連結されているため、操作部が操作された分、回転する。したがって、上記構成の譜面台装置では、操作部を介して、両ロッドを手動で回転させながら、譜面を送ることができる。
【００１４】
請求項４に係る発明は、請求項１または２に記載の譜面台装置において、駆動手段は、モータと、このモータと譜面巻取りロッドの間に設けられ、モータの動力を譜面巻取りロッドに伝達することによって、譜面巻取りロッドを回転させる動力伝達機構と、操作部が操作されたときに、モータを所定の角度、回転させるように制御する制御手段と、を有していることを特徴とする。
【００１５】
この構成によれば、操作部が操作されたときに、制御手段により、モータが所定の角度、回転するように制御され、その動力が、動力伝達機構を介して譜面巻取りロッドに伝達される。これにより、譜面巻取りロッドは、モータが回転した角度に対応する分、回転しながら譜面を巻き取り、その結果、譜面を所定長さ分、譜面巻取りロッド側に正確に送ることができる。また、上記構成の譜面台装置では、譜面巻取りロッドをモータによって回転駆動するので、例えば、操作部として、モータを始動させるためのスイッチなどを採用することにより、スイッチを押すなどの簡単な操作によって、譜面巻取りロッドを自動で回転させながら、譜面を送ることができる。
【発明を実施するための最良の形態】
【００１６】
以下、図面を参照しながら、本発明の好ましい実施形態を詳細に説明する。図１は、本発明の第１実施形態による譜面台装置を、これが設置された電子ピアノとともに示している。この譜面台装置１は、演奏者が、連続する譜面Ｆに記載された楽譜Ｇ（五線譜のみ図示。以下同じ）を参照しながら電子ピアノ２を演奏する際に使用されるものであり、演奏に先立ち、譜面Ｆがセットされる。また、この譜面台装置１は、演奏者が、演奏の進行に応じて、後述する譜面送出しロッド１２および譜面巻取りロッド１３を手動で回転させることにより、譜面Ｆを譜面巻取りロッド１３側に送る手動タイプのものである。
【００１７】
ここで、図２を参照して、譜面台装置１にセットされる譜面Ｆの形態および作成方法について簡単に説明する。同図（ａ）に示すように、譜面Ｆは、所定の幅（同図の上下方向の長さ）を有する帯状の紙に、上下方向に並んだ複数（本実施形態では５つ）の五線譜を１頁分としたときの複数頁分の楽譜Ｇが、横に並んだ状態で、譜面Ｆの長さ方向に沿って記載されている。このような連続する譜面Ｆは、帯状の紙に、複数頁分の楽譜Ｇを直接、記載（印刷）することによって作成されるほか、例えば、同図（ｂ）に示すように、楽譜Ｇが記載（印刷）された複数の一枚物の譜面Ｆ’を、接着剤や粘着テープなどでつなぎ合わせることによって作成される。
【００１８】
図１に示すように、電子ピアノ２は、左右方向に並んだ多数の白鍵および黒鍵を有する鍵盤３を前部に備えるとともに、その鍵盤３の後方上部に、水平な天板４を備えている。そして、この天板４上に、譜面台装置１が載置された状態で設置される。
【００１９】
図１および図３（ａ）、（ｂ）に示すように、譜面台装置１は、横長ボックス状のベース１１と、このベース１１から上方に延び、互いにベース１１の長さ方向（両図の左右方向）に間隔を隔てて配置されるとともに、軸線を中心として回転自在に構成された譜面送出しロッド１２および譜面巻取りロッド１３と、ベース１１に内蔵され、両ロッド１２、１３を回転させるためのロッド駆動機構１４（駆動手段）と、ベース１１から前方に突出し、譜面Ｆを送る際に、演奏者によって操作される譜面送り操作部１５（操作部）とを備えている。
【００２０】
ベース１１の上板１６および前板１７の右部にはそれぞれ、左右方向に延びる長孔状の上孔１６ａおよび前孔１７ａが形成されている。上孔１６ａには、譜面送出しロッド１２の下端部が貫通する一方、前孔１７ａには、譜面送り操作部１５の後端部が貫通している。
【００２１】
図３（ａ）、（ｂ）に示すように、譜面送出しロッド１２は、上下方向に延びるロッド本体１２ａと、このロッド本体１２ａから同心状に下方に延びる支軸１２ｂとで構成されている。ロッド本体１２ａは、比較的大きな径を有するとともに譜面Ｆの幅とほぼ同じ長さの円柱状に形成されている。また、ロッド本体１２ａの外周部には、ロッド本体１２ａの長さ方向に沿って延び、譜面Ｆの楽譜Ｇの終わり側の端部を係止するための譜面係止溝１２ｃが形成されている。一方、支軸１２ｂは、ロッド本体１２ａよりも大幅に小さく、かつ、ベース１１の上孔１６ａの短径よりも若干小さい径を有している。また、支軸１２ｂは、上記の上孔１６ａを貫通した状態で、ベース１１内の後述するスライダ２６（ロッド支持部）に回転自在に支持されている。
【００２２】
一方、譜面巻取りロッド１３は、上述した譜面送出しロッド１２とほぼ同様の形状およびサイズを有するロッド本体１３ａおよび支軸１３ｂで構成されている。ロッド本体１３ａの外周部には、譜面Ｆの楽譜Ｇの始まり側の端部を係止するための譜面係止溝１３ｃが形成されている。一方、支軸１３ｂは、ベース１１の上板１６を貫通した状態で、ベース１１に回転自在に支持されている。
【００２３】
ロッド駆動機構１４は、譜面送出しロッド１２および譜面巻取りロッド１３の支軸１２ｂおよび１３ｂにそれぞれ固定された駆動プーリ２１（プーリ）および従動プーリ２２（プーリ）と、両プーリ２１、２２に巻き掛けられたゴム製のタイミングベルト２３（ベルト）と、譜面送出しロッド１２の支軸１２ｂの下端部に固定され、かさ歯車で構成された従動ギヤ２４と、この従動ギヤ２４に噛み合うかさ歯車で構成され、譜面送り操作部１５に連結固定された駆動ギヤ２５とを備えている。駆動プーリ２１および従動プーリ２２は、形状およびサイズが互いに同一であるとともに、タイミングベルト２３に噛み合う多数の歯を有している。また、両プーリ２１、２２は、上から順に、大径部２１ａ、２２ａ、中径部２１ｂ、２２ｂ、および小径部２１ｃ、２２ｃを有し、径が上側ほど大きい三段に構成されている。そして、両プーリ２１、２２の互いに同じ径の部分（図３では、中径部２１ｂおよび２２ｂ）に、タイミングベルト２３が巻き掛けられている。
【００２４】
図３（ｃ）に示すように、譜面送り操作部１５は、前後方向（同図の左右方向）に延びる操作部本体１５ａと、この操作部本体１５ａから同心状に後方に延びる駆動軸１５ｂとで構成されている。操作部本体１５ａは、外周面に滑り止め用のローレット加工が施された円柱状に形成されており、演奏者が指先で摘んだ状態で、回しやすいサイズになっている。一方、駆動軸１５ｂは、ベース１１の前孔１７ａの短径よりも若干小さい径を有しており、その前孔１７ａを貫通した状態で、後述するスライダ２６に回転自在に支持されている。また、駆動軸１５ｂの後端部には、前記駆動ギヤ２５が固定されている。
【００２５】
スライダ２６は、ベース１１内において、ベース１１の長さ方向（図３（ａ）、（ｂ）の左右方向）に沿ってスライド自在に設けられている。前述したように、このスライダ２６は、譜面送出しロッド１２を、その支軸１２ｂを介して回転自在に支持するとともに、譜面送り操作部１５を、駆動軸１５ｂを介して回転自在に支持している。したがって、スライダ２６をスライドさせることにより、譜面送出しロッド１２が上孔１６ａに沿って、また譜面送り操作部１５が前孔１７ａに沿って、スライダ２６とともに左右方向に移動する。また、図３（ｃ）に示すように、スライダ２６は、ベース１１の背面側（図３（ｃ）の右側）からねじ込まれる固定ねじ２７（ロック手段）によって、スライドした位置にロックされるようになっている。
【００２６】
図４は、スライダ２６が互いに異なる３つの位置に位置した状態を示している。同図（ａ）に示す位置から、スライダ２６を左方にスライドさせることにより、同図（ｂ）に示すように、譜面送出しロッド１２が譜面巻取りロッド１３に近づき、それにより、両ロッド１２、１３間の距離が小さくなる。またこの場合、タイミングベルト２３は、両ロッド１２、１３の駆動プーリ２１および従動プーリ２２の大径部２１ａ、２２ａ間に巻き掛けられる。一方、スライダ２６を右方にスライドさせることにより、同図（ｃ）に示すように、譜面送出しロッド１２が譜面巻取りロッド１３から離れ、それにより、両ロッド１２、１３間の距離が大きくなる。またこの場合、タイミングベルト２３は、駆動プーリ２１および従動プーリ２２の小径部２１ｃ、２２ｃ間に巻き掛けられる。
【００２７】
なお、図示しないが、ベース１１の背面は、開閉可能に構成されている。これにより、駆動プーリ２１および従動プーリ２２の大径部２１ａ、２２ａ、中径部２１ｂ、２２ｂ、および小径部２１ｃ、２２ｃに対するタイミングベルト２３の掛け替えが、ベース１１の背面を開放した状態で、容易に行うことができる。
【００２８】
次に、図１および図５を参照して、電子ピアノ２の演奏時における譜面台装置１の動作について説明する。前述したように、この譜面台装置１では、演奏に先立ち、譜面送出しロッド１２および譜面巻取りロッド１３に、連続する譜面Ｆがセットされる。具体的には、譜面送出しロッド１２には、譜面Ｆの楽譜Ｇの終わり側の端部が譜面係止溝１２ｃに係止されるとともに、譜面Ｆがロッド本体１２ａの外周面に沿って巻かれた状態にセットされる。一方、譜面巻取りロッド１３には、譜面Ｆの楽譜Ｇの始まり側の端部が譜面係止溝１３ｃに係止された状態にセットされる。このように譜面Ｆがセットされた状態において、演奏者は、譜面Ｆの両ロッド１２、１３間に位置する楽譜（図１では２頁分の楽譜）Ｇを参照しながら、演奏を行うことができる。
【００２９】
また、演奏が進み、演奏者が、両ロッド１２、１３間の楽譜Ｇの後に続く未演奏楽譜（図１では３頁以降の楽譜）Ｇ’を参照したい場合には、演奏者自身が譜面送り操作部１５（操作部本体１５ａ）を摘み、反時計方向に回す。これにより、図５（ａ）に示すように、譜面送出しロッド１２が反時計方向に回転し、これに伴い、タイミングベルト２３が反時計方向に回転することで、譜面巻取りロッド１３も反時計方向に回転する。つまり、譜面送出しロッド１２および譜面巻取りロッド１３は、互いに同期して、譜面送り操作部１５が回された角度に対応する分、回転する。これにより、譜面Ｆは、譜面巻取りロッド１３で巻き取られながら、所定長さ分（例えば１頁分）、図５の白抜き矢印で示すように、譜面巻取りロッド１３側に送られる。その結果、未演奏楽譜Ｇ’は、譜面送出しロッド１２と譜面巻取りロッド１３の間、すなわち演奏者にとって見やすい位置に移動する。
【００３０】
以上のように、本実施形態の譜面台装置１によれば、演奏者が、演奏中に未演奏楽譜Ｇ’を参照したい場合には、演奏の進行に応じて適宜、譜面送り操作部１５を回すだけで、未演奏楽譜Ｇ’を演奏者の見やすい適切な位置に容易に位置させることができる。したがって、長い楽曲を演奏する場合でも、その譜面Ｆを演奏の進行に応じて送り、楽譜Ｇを参照しながら、演奏を円滑に行うことができる。また、譜面送出しロッド１２と譜面巻取りロッド１３の間の距離を簡単に調整できるので、楽譜Ｇのサイズ（例えば五線譜の長さ）や、演奏者の好み（例えば両ロッド１２、１３間の楽譜Ｇの頁数など）に応じて、両ロッド１２、１３間に位置する楽譜Ｇを、演奏者が参照しやすい状態に設定することができる。
【００３１】
さらに、譜面送出しロッド１２および譜面巻取りロッド１３は、互いに同期して回転するので、譜面巻取りロッド１３による譜面Ｆの巻き取り動作に伴う引張り力が、譜面Ｆに過大に作用するのを防止でき、それにより、譜面Ｆの破損などを防止することができる。
【００３２】
なお、譜面台装置１は、電子ピアノ２の天板４に、単純に載置した状態で設置されるので、既存の電子ピアノに容易に設置することが可能である。また、譜面Ｆを参照しないで演奏を行う場合には、譜面台装置１を天板４から降ろしておくことで、天板４上をすっきりとした状態で、演奏を行うことも可能である。
【００３３】
次に、図６および図７を参照しながら、本発明の第２実施形態による譜面台装置について説明する。なお、以下では、上述した第１実施形態の譜面台装置１と同じ構成部品については、同一の符号を付して、その詳細な説明を省略し、譜面台装置１との相違を中心に説明するものとする。本実施形態の譜面台装置３１は、第１実施形態の手動タイプのものと異なり、譜面送出しロッド１２および譜面巻取りロッド１３をモータ３２で回転させる自動タイプのものである。
【００３４】
図６および図７に示すように、譜面台装置３１のベース１１には、上板１６の右端部に、押しボタン式のスイッチ３３（操作部）が設けられている。また、ベース１１内には、前記モータ３２およびギヤボックス３４が設けられており、これらが、スライダ２６に固定されている。ギヤボックス３４は、減速ギヤ列を内蔵しており、入力側にモータ３２が接続さる一方、出力側に譜面送出しロッド１２の支軸１２ｂが接続されている。したがって、モータ３２が所定方向に回転すると、ギヤボックス３４を介して、譜面送出しロッド１２が、図７（ａ）において、反時計方向に回転し、これに伴い、駆動プーリ２１、従動プーリ２２およびタイミングベルト２３を介して、譜面巻取りロッド１３も反時計方向に回転する。このように、本実施形態では、モータ３２の動力を譜面巻取りロッド１３に伝達することによってこれを回転させるロッド駆動機構３５（動力伝達機構）が、ギヤボックス３４、駆動プーリ２１、従動プーリ２２およびタイミングベルト２３で構成されている。
【００３５】
さらに、ベース１１内には、モータ３２を制御するための制御装置３６（制御手段）が設けられている。この制御装置３６は、マイクロコンピュータで構成されており、モータ３２のほか、前記スイッチ３３が電気的に接続されている。そして、制御装置３６は、スイッチ３３が１回、押されると、モータ３２を所定の角度、回転させるように設定されている。なお、詳細な説明は省略するが、制御装置３６は、スイッチ３３が押されたときにモータ３２を回転させるべき所定の角度や、モータの回転速度などを、簡単に設定できるように構成されている。
【００３６】
以上のように構成された譜面台装置３１では、スイッチ３３が押されたときに、モータ３２が所定の角度、回転し、その動力が、ギヤボックス３４を介して譜面送出しロッド１２に伝達されるとともに、ロッド駆動機構３５を介して譜面巻取りロッド１３に伝達される。これにより、譜面送出しロッド１２および譜面巻取りロッド１３は、モータ３２が回転した角度に対応する分、互いに同期して回転しながら、譜面送出しロッド１３から送り出された譜面Ｆを、譜面巻取りロッド１３で巻き取り、その結果、譜面Ｆを所定長さ分、譜面巻取りロッド１３側に正確に送ることができる。また、譜面台装置３１では、譜面送出しロッド１２および譜面巻取りロッド１３をモータ３２によって回転駆動するので、スイッチ３３を押すという簡単な操作によって、両ロッド１２、１３を自動で回転させながら、譜面Ｆを送ることができる。
【００３７】
なお、本発明は、上述した第１および第２実施形態に限定されることなく、種々の態様で実施することができる。例えば、実施形態では、電子ピアノ２を演奏する際に使用される譜面台装置１および３１を例示したが、本発明の譜面台装置はこれに限定されるものではなく、ピアノ以外の楽器、例えば弦楽器や管楽器などを演奏する際にも使用することが可能である。なおこの場合、上述した譜面台装置１、３１を、従来のスタンド付き譜面台と同様、所定のスタンドで支持し、スタンド付き譜面台装置として構成することが好ましい。
【００３８】
また、実施形態では、譜面送出しロッド１２と譜面巻取りロッド１３の間の距離を調整可能とするために、譜面送出しロッド１２を左右方向にスライド自在に構成したが、これに代えて、譜面巻取りロッド１３を左右方向にスライド自在に構成してもよい。また、実施形態では、ロッド駆動機構１４、３５によって、譜面送出しロッド１２および譜面巻取りロッド１３をいずれも回転させるように構成したが、譜面巻取りロッド１３のみが回転駆動されるように構成し、これに巻き取られる譜面Ｆの張力によって、譜面送出しロッド１２が回転するように構成してもよい。
【００３９】
さらに、実施形態では、譜面送出しロッド１２および譜面巻取りロッド１３を、上下方向に延びるように配置したが、両ロッドを左右方向に水平に延びるように構成するとともに、譜面巻取りロッドおよび譜面送出しロッドが、互いに上下に間隔を隔てて配置されるように、譜面台装置を構成してもよい。この場合には、譜面が下から上に送られる。なお、このような譜面台装置にセットされる譜面については、前述した譜面Ｆと異なり、複数頁分の楽譜Ｇが、縦に並んだ状態で、譜面の長さ方向に沿って記載されるように作成する。
【００４０】
さらにまた、第２実施形態の自動タイプの譜面台装置３１では、譜面送出しロッド１２および譜面巻取りロッド１３を回転させるためのスイッチ３３をベース１１に設けたが、両ロッド１２、１３を回転させるためのスイッチを、譜面台装置３１と別体に構成し、そのスイッチをより演奏者に近い位置に配置してもよい。例えば、上記のスイッチを、押しボタン式のスイッチとして電子ピアノ２の鍵盤３の付近に配置したり、フットペダル式のスイッチとして、電子ピアノ２のペダル５の付近に配置したりすることにより、前者の場合には演奏者が鍵盤３から大きく手を離すことなく、また、後者の場合には演奏者が鍵盤３から手をまったく離すことなく、スイッチを足で操作することで、譜面台装置３１をより一層簡単に操作することができる。
【００４１】
また、実施形態で示した譜面台装置１、３１の細部の構成などは、あくまで例示であり、本発明の趣旨の範囲内で適宜、変更することができる。
【図面の簡単な説明】
【００４２】
【図１】本発明の第１実施形態による譜面台装置を、これが設置された電子ピアノとともに示す斜視図である。
【図２】譜面の形態および作成方法を説明するための図であり、（ａ）は連続する譜面を示す外観斜視図、（ｂ）は複数の一枚物の譜面、およびそれらをつなぎ合わせることで作成された連続する譜面を示す図である。
【図３】図１の譜面台装置の構造を説明するための図であり、（ａ）は譜面台装置の平面図、（ｂ）は譜面台装置の正面図、（ｃ）は（ｂ）のｃ−ｃ線に沿う断面図である。
【図４】譜面送出しロッドと譜面巻取りロッドの間の距離調整を説明するための説明図である。
【図５】譜面台装置の動作を説明するための図であり、（ａ）は譜面台装置の平面図、（ｂ）は譜面台装置の正面図である。
【図６】本発明の第２実施形態による譜面台装置を、これが設置された電子ピアノとともに示す斜視図である。
【図７】図６の譜面台装置の構造を説明するための図であり、（ａ）は譜面台装置の平面図、（ｂ）は譜面台装置の正面図である。
【符号の説明】
【００４３】
１  譜面台装置
２  電子ピアノ
１１  ベース
１２  譜面送出しロッド
１３  譜面巻取りロッド
１４  ロッド駆動機構（駆動手段）
１５  譜面送り操作部（操作部）
２１  駆動プーリ（プーリ）
２２  従動プーリ（プーリ）
２３  タイミングベルト（ベルト）
２４  従動ギヤ
２５  駆動ギヤ
２６  スライダ（ロッド支持部）
２７  固定ねじ（ロック手段）
３１  譜面台装置
３２  モータ
３３  スイッチ（操作部）
３５  ロッド駆動機構（動力伝達機構）
３６  制御装置（制御手段）
Ｇ  楽譜
Ｇ’  未演奏楽譜
Ｆ  譜面
Ｆ’（一枚物の）譜面
【図１】
2010026211.tif 000003
【図２】
2010026211.tif 000004
【図３】
2010026211.tif 000005
【図４】
2010026211.tif 000006
【図５】
2010026211.tif 000007
【図６】
2010026211.tif 000008
【図７】
2010026211.tif 000009